【手続補正書】
【提出日】平成25年6月10日(2013.6.10)
【手続補正１】
【補正対象書類名】特許請求の範囲
【補正対象項目名】全文
【補正方法】変更
【補正の内容】
【特許請求の範囲】
【請求項１】
インターネット ユーザ クライアントに代替のJavaScriptオブジェクトを宛先指定するための方法であって、以下を含む、方法:
埋め込みJavaScriptオブジェクトを求める要求を検出するために、インターネット ユーザ クライアントが関与するHTTPトランザクションを解析するシステム;および
代替のJavaScriptオブジェクトを、インターネット ユーザ クライアントへ転送することによって、埋め込みJavaScriptオブジェクトを求める要求に応答するシステム。
【請求項２】
インターネット ユーザ クライアントが加入ユーザクライアントである、請求項1記載の代替のJavaScriptオブジェクトを宛先指定するための方法。
【請求項３】
前記システムが、インターネット サービス プロバイダであるネットワーク サービス プロバイダと関連付けられる、請求項1記載の代替のJavaScriptオブジェクトを宛先指定するための方法。
【請求項４】
代替のJavaScriptオブジェクトが最初に要求された埋め込みJavaScriptオブジェクトを求める要求を含む、請求項1記載の代替のJavaScriptオブジェクトを宛先指定するための方法。
【請求項５】
代替のJavaScriptオブジェクトがネットワーク サービス プロバイダによって選択される、請求項1記載の代替のJavaScriptオブジェクトを宛先指定するための方法。
【請求項６】
代替のJavaScriptオブジェクトが、最初に要求された埋め込みJavaScriptオブジェクトへの参照とさらに別のJavaScriptオブジェクトへの参照とを含む、請求項1記載の代替のJavaScriptオブジェクトを宛先指定するための方法。
【請求項７】
さらに別のJavaScriptオブジェクトへの参照が、対象となる広告ウェブコンテンツと関連付けられる、請求項6記載の選択されたJavaScriptオブジェクトを宛先指定するための方法。
【請求項８】
対象となる広告ウェブコンテンツが広告選択サービスによって選択される、請求項7記載の代替のJavaScriptオブジェクトを宛先指定するための方法。
【請求項９】
ネットワーク サービス プロバイダから受け取られる少なくとも一つの対象設定パラメータに基づいて、広告選択サービスが、対象となる広告ウェブコンテンツを選択する、請求項8記載の代替のJavaScriptオブジェクトを宛先指定するための方法。
【請求項１０】
変更値順位に基づいて、広告選択サービスが、対象となる広告ウェブコンテンツを選択する、請求項8記載の代替のJavaScriptオブジェクトを宛先指定するための方法。
【請求項１１】
さらに別のJavaScriptオブジェクトへの参照がURL包含フィールドに従って選択される、請求項6記載の代替のJavaScriptオブジェクトを宛先指定するための方法。
【請求項１２】
さらに別のJavaScriptオブジェクトへの参照がURL制限フィールドに従って選択される、請求項6記載の代替のJavaScriptオブジェクトを宛先指定するための方法。
【請求項１３】
さらに別のJavaScriptオブジェクトと関連付けられたカスタマイズされたコンテンツが第1のフレームにおいて提示され、かつ最初に要求された埋め込みJavaScriptオブジェクトと関連付けられた変更されないコンテンツが第2のフレームにおいて提示される、請求項6記載の代替のJavaScriptオブジェクトを宛先指定するための方法。
【請求項１４】
さらに別のJavaScriptオブジェクトと関連付けられたカスタマイズされたコンテンツへのリンクが第1のフレームにおいて提示され、かつ最初に要求された埋め込みJavaScriptオブジェクトと関連付けられた変更されないコンテンツが第2のフレームにおいて提示される、請求項6記載の代替のJavaScriptオブジェクトを宛先指定するための方法。
【請求項１５】
さらに別のJavaScriptオブジェクトと関連付けられたカスタマイズされたコンテンツが、最初に要求された埋め込みJavaScriptオブジェクトと関連付けられた変更されないコンテンツを提示するウィンドウ上に重ねて表示される新しいウィンドウにおいて提示される、請求項6記載の代替のJavaScriptオブジェクトを宛先指定するための方法。
【請求項１６】
さらに別のJavaScriptオブジェクトと関連付けられたカスタマイズされたコンテンツが、最初に要求された埋め込みJavaScriptオブジェクトと関連付けられた変更されないコンテンツを提示するウィンドウの下の新しいウィンドウにおいて提示される、請求項6記載の代替のJavaScriptオブジェクトを宛先指定するための方法。
【請求項１７】
さらに別のJavaScriptオブジェクトと関連付けられたカスタマイズされたコンテンツが、最初に要求された埋め込みJavaScriptオブジェクトと関連付けられた変更されないコンテンツ上を通過するコンテンツ領域において提示される、請求項6記載の代替のJavaScriptオブジェクトを宛先指定するための方法。
【請求項１８】
さらに別のJavaScriptオブジェクトと関連付けられたカスタマイズされたコンテンツが、最初に要求された埋め込みJavaScriptオブジェクトと関連付けられた変更されないコンテンツ上に重なる半透明のコンテンツ領域において提示される、請求項6記載の代替のJavaScriptオブジェクトを宛先指定するための方法。
【請求項１９】
半透明のコンテンツ領域がフェードインして完全に不透明なコンテンツ領域になる、請求項18記載の代替のJavaScriptオブジェクトを宛先指定するための方法。
【請求項２０】
複数のインターネット ユーザ クライアントが特定のサービスタイプの値と関連付けられる、請求項1記載の代替のJavaScriptオブジェクトを宛先指定するための方法。
【請求項２１】
埋め込みJavaScriptオブジェクトを求める要求を検出するために、インターネット ユーザ クライアントが関与するHTTPトランザクションを解析する手段と、
代替のJavaScriptオブジェクトを、インターネット ユーザ クライアントへ転送することによって、埋め込みJavaScriptオブジェクトを求める要求に応答する手段と
を含む、インターネット ユーザ クライアントに代替のJavaScriptオブジェクトを宛先指定するための装置。
【請求項２２】
インターネット ユーザ クライアントが加入ユーザクライアントである、請求項21記載の代替のJavaScriptオブジェクトを宛先指定するための装置。
【請求項２３】
インターネット サービス プロバイダであるネットワーク サービス プロバイダと関連付けられる、請求項21記載の代替のJavaScriptオブジェクトを宛先指定するための装置。
【請求項２４】
代替のJavaScriptオブジェクトが最初に要求された埋め込みJavaScriptオブジェクトを求める要求を含む、請求項21記載の代替のJavaScriptオブジェクトを宛先指定するための装置。
【請求項２５】
代替のJavaScriptオブジェクトが、最初に要求された埋め込みJavaScriptオブジェクトへの参照とさらに別のJavaScriptウェブオブジェクトへの参照とを含む、請求項21記載の代替のJavaScriptオブジェクトを宛先指定するための装置。
【請求項２６】
さらに別のJavaScriptオブジェクトへの参照が、対象となる広告ウェブコンテンツと関連付けられる、請求項25記載の代替のJavaScriptオブジェクトを宛先指定するための装置。
【請求項２７】
対象となる広告ウェブコンテンツが変更値順位に基づいて選択される、請求項26記載の代替のJavaScriptオブジェクトを宛先指定するための装置。
【請求項２８】
複数のインターネット ユーザ クライアントが特定のサービスタイプの値と関連付けられる、請求項21記載の代替のJavaScriptオブジェクトを宛先指定するための装置。
【請求項２９】
埋め込みJavaScriptオブジェクトを求める要求を検出するために、インターネット ユーザ クライアントが関与するHTTPトランザクションを、コンピュータに解析させるためのコードと、
インターネット ユーザ クライアントに代替のJavaScriptオブジェクトを転送することによって、コンピュータに、埋め込みJavaScriptオブジェクトを求める要求に応答させるためのコードと
を記憶しているコンピュータ可読媒体
を含む、コンピュータプログラム製品。
【請求項３０】
代替のJavaScriptオブジェクトが最初に要求された埋め込みJavaScriptオブジェクトを求める要求を含む、請求項29記載のコンピュータプログラム製品。
【請求項３１】
代替のJavaScriptオブジェクトが、最初に要求された埋め込みJavaScriptオブジェクトへの参照とさらに別のJavaScriptオブジェクトへの参照とを含む、請求項29記載のコンピュータプログラム製品。
【請求項３２】
さらに別のJavaScriptオブジェクトへの参照が、対象となる広告ウェブコンテンツと関連付けられる、請求項31記載のコンピュータプログラム製品。
【請求項３３】
対象となる広告ウェブコンテンツが変更値順位に基づいて選択される、請求項32記載のコンピュータプログラム製品。
【請求項３４】
複数のインターネット ユーザ クライアントが特定のサービスタイプの値と関連付けられる、請求項29記載のコンピュータプログラム製品。
【請求項３５】
代替のJavaScriptオブジェクトが、最初に要求された埋め込みJavaScriptオブジェクトへの応答の前にインターネット ユーザ クライアントに到着し、該最初に要求された埋め込みJavaScriptオブジェクトに対するユーザ クライアントによる応答を無視させる、請求項1記載の代替のJavaScriptオブジェクトを宛先指定するための方法。
【請求項３６】
代替のJavaScriptオブジェクトがインターネット ユーザ クライアントへ転送された後で、最初に要求された埋め込みJavaScriptオブジェクトをインターネット ユーザ クライアントへ転送させるシステムをさらに含む、請求項1記載の代替のJavaScriptオブジェクトを宛先指定するための方法。
【請求項３７】
インターネット ユーザ クライアントごとに特定のサービスタイプの値を含むインターネット ユーザ クライアントのデータベースを維持するシステム；および
ユーザ クライアントの特定のサービスタイプの値に従って代替のJavaScriptオブジェクトを選択するシステム
をさらに含む、請求項1記載の代替のJavaScriptオブジェクトを宛先指定するための方法。
【請求項３８】
代替のJavaScriptオブジェクトが、最初に要求された埋め込みJavaScriptオブジェクトへの応答の前にインターネット ユーザ クライアントに到着し、該最初に要求された埋め込みJavaScriptオブジェクトに対するユーザ クライアントによる応答を無視させる、請求項21記載の代替のJavaScriptオブジェクトを宛先指定するための装置。
【請求項３９】
代替の埋め込みウェブオブジェクトがインターネット ユーザ クライアントへ転送された後で、最初に要求された埋め込みウェブオブジェクトをインターネット ユーザ クライアントへ転送させる手段をさらに含む、請求項21記載の代替のJavaScriptオブジェクトを宛先指定するための装置。
【請求項４０】
インターネット ユーザ クライアントごとに特定のサービスタイプの値を含むインターネット ユーザ クライアントのデータベースを維持する手段；および
ユーザ クライアントの特定のサービスタイプの値に従って代替のJavaScriptオブジェクトを選択する手段
をさらに含む、請求項21記載の代替のJavaScriptオブジェクトを宛先指定するための装置。
【請求項４１】
代替のJavaScriptオブジェクトが、最初に要求された埋め込みJavaScriptオブジェクトへの応答の前にインターネット ユーザ クライアントに到着し、該最初に要求された埋め込みJavaScriptオブジェクトに対するユーザ クライアントによる応答を無視させる、請求項29記載のコンピュータプログラム製品。
【請求項４２】
代替の埋め込みウェブオブジェクトがインターネット ユーザ クライアントへ転送された後で、最初に要求された埋め込みウェブオブジェクトをインターネット ユーザ クライアントへコンピュータが転送させるためのコードをさらに含む、請求項29記載のコンピュータプログラム製品。
【請求項４３】
インターネット ユーザ クライアントごとに特定のサービスタイプの値を含むインターネット ユーザ クライアントのデータベースをコンピュータに維持させるためのコード；および
ユーザ クライアントの特定のサービスタイプの値に従って代替のJavaScriptオブジェクトをコンピュータに選択させるためのコード
をさらに含む、請求項29記載のコンピュータプログラム製品。